【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
歯科用器具の動作を、患者の口腔内の治療を受ける歯の構造物の所定の部分の除去に制限し、本体を備える歯科用オーバーレイデバイスであって、該本体は長さと、幅と、厚さとを有し、
前記治療を受ける歯に対して適切な位置に前記本体を固定するために、前記患者の前記口腔内の１つ以上の歯の部分と相補的であり、該部分と接触するように構成される第１の表面と、
前記第１の表面の反対に位置する第２の表面であって、前記第１の表面と該第２の表面との間の１つ以上の距離が前記本体の前記厚さを規定する、第２の表面と、
前記治療を受ける歯から除去されることになる歯構造物の部分を露出させるために前記第１の表面を貫通して延在する第１の開口部と、
前記第１の開口部の反対に位置し、前記第２の表面を貫通して延在する第２の開口部であって、該第２の開口部は、そこを通して歯科用器具のシャフトを収容するように構成される、第２の開口部と、
前記第２の開口部と連通し、前記シャフトの縦軸に対して垂直であるか、又は垂直でなくても縦軸を横切る方向において前記シャフトから延在するフランジを収容するためのスロットであって、該スロットは、第１の方向に沿って、前記本体の前記長さ及び前記幅に対して平行な第１の平面内で第１の寸法を有し、前記歯科用器具の前記シャフトが前記第２の開口部を通して収容され、前記フランジが前記スロット内に収容されるときに、前記フランジの運動が前記スロットによって制限されるように、該第１の寸法は、該第１の方向に沿った、該第１の平面に対して平行な第２の平面内の、前記第２の開口部の対応する第２の寸法より大きい、スロットと
を備え、
前記第２の開口部は、前記第１の平面に対して平行な平面内で、該平面に沿った方向において、前記歯科用器具の前記シャフトを収容するための前記スロットの端部上で前記厚さを貫通する第１の側方開口部を画定し、
前記スロットは、前記第１の平面内で、前記第１の平面に沿った方向において、前記フランジを収容するための前記スロットの端部上で前記厚さを貫通する第２の側方開口部を画定する、歯科用オーバーレイデバイス。
【請求項２】
治療を受ける歯の構造物の所定の部分を除去する歯科用システムであって、
請求項１に記載の歯科用オーバーレイデバイスと、
歯科用器具と
を備えており、該歯科用器具は、
ハンドグリップと、
前記ハンドグリップに取り付けられるドライブヘッドと、
前記ドライブヘッドから延在するドライブシャフトと、
前記ドライブシャフトに取り付けられ、前記ドライブシャフトの縦軸に沿って延在する切削工具と、
前記ドライブシャフトに周りに延在し、前記ドライブヘッドから間隔を置いて配置されるフランジであって、該フランジは、前記ドライブシャフトの前記縦軸に対して垂直な軸に沿った長さ寸法及び幅寸法と、前記ドライブシャフトの前記縦軸に対して平行な軸に沿った厚さ寸法とを有し、該フランジの該長さ寸法及び該幅寸法の一方又は両方が該フランジの該厚さ寸法より大きい、フランジと
を備え、
前記ドライブシャフトは前記第２の開口部の前記第１の側方開口部を貫通して収容可能であり、前記フランジは前記第２の側方開口部を貫通して収容可能であり、
前記歯科用器具の前記フランジが前記スロット内に収容されるとき、前記第１の平面内の方向及び前記第１の平面に対して垂直な方向における前記フランジの運動が前記スロットによって制限される、歯科用システム。
【請求項３】
患者の口腔内に１つ以上のベニヤを配置するための歯科用オーバーレイシステムであって、
１つ以上のベニヤと、
湾曲した本体を備える歯科用オーバーレイデバイスと、
を備え、該湾曲した本体は、
患者の歯上の適切な位置において該本体を固定するために、前記患者の口腔の両側にある遠心歯を含む、該患者の該口腔内の１つ以上の歯の部分に相補的であり、該部分と接触するように構成される本体表面であって、前記１つ以上のベニヤは該本体表面に一時的に取り付けられる、本体表面と、
前記湾曲した本体を貫通して延在し、複数の歯上の場所に対応する複数の穴と
を備える、歯科用オーバーレイシステム。
【請求項４】
前記本体表面の第１の部分及び第２の部分が、患者の口腔の両側において臼歯と接触するように構成され、前記本体表面の前記第１の部分及び前記第２の部分は中実であり、その中を貫通する穴を有しない、請求項３に記載の歯科用オーバーレイシステム。
【請求項５】
前記湾曲した本体は、各々が前記患者の口腔内の前記歯のうちの１つの歯の一部の輪郭を有し、前記穴がそこを貫通して延在する個々の歯形を画定し、そこを貫通して延在する穴を有する歯形ごとに、最大で２個の穴が、前記湾曲した本体の個々の歯形を貫通して延在する、請求項３または４に記載の歯科用オーバーレイシステム。
【請求項６】
完全な歯列弓に対応する１０個のベニヤの配置とともに使用するために、前記歯科用オーバーレイデバイスは、前記湾曲した本体を貫通する、最少で１６個の穴、最大で２０個の穴を含む、請求項３〜５のいずれか一項に記載の歯科用オーバーレイシステム。
【請求項７】
前記湾曲した本体は、各々が前記患者の口腔内の前記歯のうちの１つの歯の一部の輪郭を有し、前記穴がそこを貫通して延在する個々の歯形を画定し、そこを貫通して延在する穴を有する歯形ごとに、前記湾曲した本体の個々の歯形を貫通して最少で３個の穴が延在し、前記湾曲した本体の個々の歯形を貫通して最大で６個の穴が延在する、請求項３または４に記載の歯科用オーバーレイシステム。
【請求項８】
完全な歯列弓に対応する１０個のベニヤの配置とともに使用するために、前記歯科用オーバーレイデバイスは、前記湾曲した本体を貫通する、最少で３０個の穴、最大で６０個の穴を含む、請求項３、４および７のいずれか一項に記載の歯科用オーバーレイシステム。
【請求項９】
前記複数の穴のうちの少なくともいくつかは、１．５ｍｍ〜４ｍｍの範囲内の直径を有する、請求項３〜８のいずれか一項に記載の歯科用オーバーレイシステム。
【請求項１０】
患者の口腔内の治療を受ける歯から歯構造物を除去する切削工具を案内する際に使用するための歯科用器具類を調製する方法であって、
１つ以上のプロセッサによって、前記治療を受ける歯の一部の周りに配置するための切削ガイド殻構造物に対応する初期切削ガイドデータと、前記切削工具によって行われる工具運動に関するあらかじめ設定された制限に対応する切削工具経路データとの間の第１のブール演算を実行するステップであって、該第１のブール演算は、前記切削工具を案内するための最終切削ガイド構造物に対応する最終切削ガイドデータを規定する、ステップと、
前記１つ以上のプロセッサによって、前記患者の前記口腔内の前記治療を受ける歯の隣在歯に前記歯科用器具類を固定するための固定器具構成に対応する初期器具構成データと、前記最終切削ガイドデータとの間の第２のブール演算を実行するステップであって、該第２のブール演算は、前記隣在歯に前記歯科用器具類を解放可能に固定し、前記治療を受ける歯から前記歯構造物を除去する際に前記切削工具を案内するための最終器具構成に対応する最終器具構成データを規定する、ステップと、
前記患者の前記口腔内の複数の歯の物理モデルを走査するステップであって、該複数の歯は前記治療を受ける歯を含む、走査するステップと、
前記１つ以上のプロセッサによって、前記複数の歯の前記走査された物理モデルのデジタルトポグラフィに対応する現存歯データを受信するステップと
前記１つ以上のプロセッサによって、一組の歯の前記走査された物理モデルの前記デジタルトポグラフィを充填するためのデジタル空所充填材に対応する歯付加データを記憶するステップと、
前記１つ以上のプロセッサによって、前記現存歯データ及び前記歯付加データをメッシュ化し、更新歯データを規定するステップと
前記１つ以上のプロセッサによって、前記現存歯データ又は前記更新歯データに基づいて前記切削工具が従うことになる第１の切削経路に対応する第１の切削経路データを記憶するステップと、
前記１つ以上のプロセッサによって、前記現存歯データ又は前記更新歯データに基づいて前記切削工具が達することになる切削深度に対応する第１の切削深度データを記憶するステップと、
前記１つ以上のプロセッサによって、前記第１の切削経路データを調整し、前記第１の切削経路から調整された第２の切削経路に対応する第２の切削経路データを生成するステップと、
前記１つ以上のプロセッサによって、前記第２の切削経路データを記憶するステップと
を含んでなり、
前記切削工具経路データは、前記第１の切削深度データと、前記第１の切削経路データ又は前記第２の切削経路データの一方とに基づく、歯科用器具類を調製する方法。
【請求項１１】
前記切削工具経路データは、前記第１の切削深度データと、前記第１の切削経路データとに基づく、請求項１０に記載の方法。
【請求項１２】
前記１つ以上のプロセッサによって、前記現存歯データ又は前記更新歯データに基づいて前記初期切削ガイドデータを決定するステップを更に含む、請求項１０または１１に記載の方法。
【請求項１３】
前記方法は、前記１つ以上のプロセッサによって、前記初期器具構成データを記憶するステップを更に含み、前記現存歯データは現存歯デジタルモデルを規定し、前記歯付加データは空所充填デジタルモデルを規定し、前記更新歯データは更新歯デジタルモデルを規定し、前記第１の切削経路データは第１の切削経路デジタルモデルを規定し、前記第１の切削深度データは第１の切削深度デジタルモデルを規定し、前記第２の切削経路データは第２の切削経路デジタルモデルを規定し、前記初期切削ガイドデータは初期切削ガイドデジタルモデルを規定し、前記最終切削ガイドデータは最終切削ガイドデジタルモデルを規定し、前記初期器具構成データは初期器具構成デジタルモデルを規定し、前記最終器具構成データは最終器具構成デジタルモデルを規定する、請求項１０〜１２のいずれか一項に記載の方法。
【請求項１４】
前記１つ以上のプロセッサによって、前記治療を受ける歯から前記歯構造物を除去するためにあらかじめ規定される前記切削工具の運動に対応する切削経路データに基づいて、前記切削工具経路データを決定するステップを更に含む、請求項１０〜１３のいずれか一項に記載の方法。
【請求項１５】
前記切削工具は歯科用バーであり、前記最終切削ガイド構造物は歯科用オーバーレイの切削ガイドに対応し、前記固定器具構成は前記歯科用オーバーレイの歯ラップに対応する、請求項１０〜１４のいずれか一項１に記載の方法。
【請求項１６】
前記１つ以上のプロセッサによって、前記最終器具構成データをコンピュータ支援製造（ＣＡＭ）又は積層造形（ＡＭ）デバイスとともに使用するように構成されるデータ記憶ファイルにエクスポートするステップを更に含む、請求項１０〜１５のいずれか一項に記載の方法。
【請求項１７】
前記データ記憶ファイルに基づいて、積層造形プロセスを用いて前記歯科用器具類を前記ＡＭデバイス上で作製するステップを更に含む、請求項１６に記載の方法。
【請求項１８】
患者の口腔内の治療を受ける歯に修復物を適用するために使用するための歯科用器具類を調製する方法であって、
１つ以上のプロセッサによって、修復後歯データに基づく器具固定支持体構造物のデジタルモデル輪郭に対応する初期主支持体構成データを記憶するステップと、
前記１つ以上のプロセッサによって、前記器具固定支持体構造物に対応する最終主支持体構成データを記憶するステップと、
前記１つ以上のプロセッサによって、前記修復後歯データに基づく器具舌側支持体構造物のデジタルモデル輪郭に対応する初期舌側支持体構成データを記憶するステップと、
前記１つ以上のプロセッサによって、前記器具舌側支持体構造物に対応する最終舌側支持体構成データを記憶することであって、前記器具舌側支持体構造物は前記器具固定支持体構造物に取り付けられるステップと、
前記１つ以上のプロセッサによって、前記修復後歯データに基づいて器具頬側支持体構造物のデジタルモデル輪郭に対応する初期頬側支持体構成データを記憶するステップと、
前記１つ以上のプロセッサによって、前記器具頬側支持体構造物に対応する最終頬側支持体構成データを記憶するステップであって、前記器具頬側支持体構造物は前記器具固定支持体構造物に取り付けられる、最終頬側支持体構成データを記憶するステップと、
前記１つ以上のプロセッサによって、前記器具舌側支持体構造物及び前記器具頬側支持体構造物の両方に取り付けられる咬合面コネクタに対応する咬合コネクタ構成データを記憶するステップであって、前記最終主支持体構成データ、前記最終舌側支持体構成データ、前記最終頬側支持体構成データ及び該咬合コネクタ構成データは、粗保持スプリント構成に対応する初期保持スプリントデータを規定する、咬合コネクタ構成データを記憶するステップと
を含んでなる方法。
【請求項１９】
前記修復後歯データは、前記治療を受ける歯及び前記治療を受ける歯に適用される修復物を含む、前記患者の口腔内の複数の既存の歯及び修復された歯の３Ｄモデルに対応する、請求項１８に記載の方法。
【請求項２０】
前記１つ以上のプロセッサによって、前記修復後歯データから前記初期保持スプリントデータを切り離し、最終保持スプリント構成に対応する最終保持スプリントデータを形成するステップを更に含む、請求項１８または１９に記載の方法。
【請求項２１】
前記初期主支持体構成データは初期主支持体設計デジタルモデルを規定し、前記最終主支持体構成データは最終主支持体設計デジタルモデルを規定し、前記初期舌側支持体構成データは初期舌側支持体構成デジタルモデルを規定し、前記最終舌側支持体構成データは最終舌側支持体構成デジタルモデルを規定し、前記初期頬側支持体構成データは初期頬側支持体構成デジタルモデルを規定し、前記最終頬側支持体構成データは最終頬側支持体構成デジタルモデルを規定し、前記咬合コネクタ構成データは咬合コネクタ構成デジタルモデルを規定し、前記初期保持スプリントデータは粗保持スプリントデジタルモデルを規定し、前記修復後歯データは修復後歯デジタルモデルを規定し、前記最終保持スプリントデータは最終保持スプリントデジタルモデルを規定する、請求項２０に記載の方法。
【請求項２２】
前記１つ以上のプロセッサによって、前記最終保持スプリントデータをＣＡＭ又はＡＭデバイスとともに使用するように構成されるデータ記憶ファイルにエクスポートするステップを更に含む、請求項２０または２１に記載の方法。
【請求項２３】
前記最終保持スプリント構成はベニヤを配置するためのトレーであり、前記データ記憶ファイルに基づいて、積層造形プロセスを用いてベニヤを配置するための前記トレーを前記ＡＭデバイス上で作製するステップを更に含む、請求項２２に記載の方法。
【請求項２４】
前記１つ以上のプロセッサによって、前記器具固定支持体構造物を前記器具舌側支持体構造物に接続する舌側接続支持体構造物に対応する舌側接続支持体構成データを記憶するステップと、
前記１つ以上のプロセッサによって、前記器具固定支持体構造物を前記器具頬側支持体構造物に接続する頬側接続支持体構造物に対応する頬側接続支持体構成データを記憶するステップと
を更に含む、請求項２０〜２３のいずれか一項に記載の方法。
【請求項２５】
前記１つ以上のプロセッサによって、前記舌側接続支持体構成データを操作するステップであって、前記舌側接続支持体構成データの該操作は、前記舌側接続支持体構造物のデジタルモデルの平滑化に対応する、前記舌側接続支持体構成データを操作するステップと、
前記１つ以上のプロセッサによって、前記頬側接続支持体構成データを操作するステップであって、前記頬側接続支持体構成データの該操作は、前記頬側接続支持体構造物のデジタルモデルの平滑化に対応する、前記頬側接続支持体構成データを操作するステップと
を更に含む、請求項２４に記載の方法。
【請求項２６】
前記初期保持スプリントデータは、前記舌側接続支持体構成データ及び前記頬側接続支持体構成データによって更に規定される、請求項２５に記載の方法。
【請求項２７】
前記初期主支持体構成データは前記最終主支持体構成データを規定するように操作され、前記初期主支持体構成データの該操作は、前記器具固定支持体構造物の前記デジタルモデル輪郭の前記輪郭をエンボス加工することに対応し、前記初期舌側支持体構成データは前記最終舌側支持体構成データを規定するように操作され、前記初期舌側支持体構成データの該操作は、前記器具舌側支持体構造物の前記デジタルモデル輪郭の前記輪郭をエンボス加工することに対応し、前記初期頬側支持体構成データは前記最終頬側支持体構成データを規定するように操作され、前記初期頬側支持体構成データの該操作は前記器具頬側支持体構造物の前記デジタルモデル輪郭の前記輪郭をエンボス加工することに対応する、請求項１８〜２６のいずれか一項に記載の方法。
【請求項２８】
ハンドグリップと、
前記ハンドグリップに取り付けられるドライブヘッドと、
前記ドライブヘッドから延在するドライブシャフトと、
前記ドライブシャフトに取り付けられ、前記ドライブシャフトの縦軸に沿って延在する切削工具と、
前記ドライブシャフトに周りに延在し、前記ドライブヘッドから間隔を置いて配置されるフランジであって、該フランジは、前記ドライブシャフトの前記縦軸に対して垂直な軸に沿った長さ寸法及び幅寸法と、前記ドライブシャフトの前記縦軸に対して平行な軸に沿った厚さ寸法とを有し、該フランジの該長さ寸法及び該幅寸法の一方又は両方が該フランジの該厚さ寸法より大きい、フランジと
を備えてなる歯科用器具。
【手続補正２】
【補正対象書類名】明細書
【補正対象項目名】００９６
【補正方法】変更
【補正の内容】
【００９６】
本明細書において本発明は特定の実施形態を参照しながら説明されてきたが、これらの実施形態は本発明の原理及び適用例の例示にすぎないことを理解されたい。それゆえ、添付の特許請求の範囲によって規定されるような本発明の趣旨及び範囲から逸脱することなく、例示的な実施形態に数多くの変更を加えることができること、及び他の構成を案出できることを理解されたい。
なお、本願の出願当初の開示事項を維持するために、本願の出願当初の請求項１〜３５の記載内容を以下に追加する。
（請求項１）
患者の口腔内の治療を受ける歯から歯構造物を除去する切削工具を案内する際に使用するための歯科用器具類を調製する方法であって、
１つ以上のプロセッサによって、前記治療を受ける歯の一部の周りに配置するための切削ガイド殻構造物に対応する初期切削ガイドデータと、前記切削工具によって行われる工具運動に関するあらかじめ設定された制限に対応する切削工具経路データとの間の第１のブール演算を実行するステップであって、該第１のブール演算は、前記切削工具を案内するための最終切削ガイド構造物に対応する最終切削ガイドデータを規定する、ステップと、
前記１つ以上のプロセッサによって、前記患者の前記口腔内の前記治療を受ける歯の隣在歯に前記歯科用器具類を固定するための固定器具構成に対応する初期器具構成データと、前記最終切削ガイドデータとの間の第２のブール演算を実行するステップであって、該第２のブール演算は、前記隣在歯に前記歯科用器具類を解放可能に固定し、前記治療を受ける歯から前記歯構造物を除去する際に前記切削工具を案内するための最終器具構成に対応する最終器具構成データを規定する、ステップと
を含んでなる方法。
（請求項２）
前記患者の前記口腔内の複数の歯の物理モデルを走査するステップであって、該複数の歯は前記治療を受ける歯を含む、走査するステップと、
前記１つ以上のプロセッサによって、前記複数の歯の前記走査された物理モデルのデジタルトポグラフィに対応する現存歯データを受信するステップと
を更に含む、請求項１に記載の方法。
（請求項３）
前記１つ以上のプロセッサによって、一組の歯の前記走査された物理モデルの前記デジタルトポグラフィを充填するためのデジタル空所充填材に対応する歯付加データを記憶するステップと、
前記１つ以上のプロセッサによって、前記現存歯データ及び前記歯付加データをメッシュ化し、更新歯データを規定するステップと
を更に含む、請求項２に記載の方法。
（請求項４）
前記方法は、
前記１つ以上のプロセッサによって、前記現存歯データ又は前記更新歯データに基づいて前記切削工具が従うことになる第１の切削経路に対応する第１の切削経路データを記憶するステップと、
前記１つ以上のプロセッサによって、前記現存歯データ又は前記更新歯データに基づいて前記切削工具が達することになる切削深度に対応する第１の切削深度データを記憶するステップと
を更に含み、前記切削工具経路データは、前記第１の切削深度データ及び第１の切削経路データに基づく、請求項３に記載の方法。
（請求項５）
前記方法は、
前記１つ以上のプロセッサによって、前記現存歯データ又は前記更新歯データに基づいて前記切削工具が従うことになる第１の切削経路に対応する第１の切削経路データを記憶するステップと、
前記１つ以上のプロセッサによって、前記現存歯データ又は前記更新歯データに基づいて前記切削工具が達することになる切削深度に対応する第１の切削深度データを記憶するステップと、
前記１つ以上のプロセッサによって、前記第１の切削経路データを調整し、前記第１の切削経路から調整された第２の切削経路に対応する第２の切削経路データを生成するステップと、
前記１つ以上のプロセッサによって、前記第２の切削経路データを記憶するステップと
を更に含み、
前記切削工具経路データは、前記第１の切削深度データと、前記第１の切削経路データ又は前記第２の切削経路データの一方とに基づく、請求項３に記載の方法。
（請求項６）
前記１つ以上のプロセッサによって、前記現存歯データ又は前記更新歯データに基づいて前記初期切削ガイドデータを決定するステップを更に含む、請求項５に記載の方法。
（請求項７）
前記方法は、前記１つ以上のプロセッサによって、前記初期器具構成データを記憶するステップを更に含み、前記現存歯データは現存歯デジタルモデルを規定し、前記歯付加データは空所充填デジタルモデルを規定し、前記更新歯データは更新歯デジタルモデルを規定し、前記第１の切削経路データは第１の切削経路デジタルモデルを規定し、前記第１の切削深度データは第１の切削深度デジタルモデルを規定し、前記第２の切削経路データは第２の切削経路デジタルモデルを規定し、前記初期切削ガイドデータは初期切削ガイドデジタルモデルを規定し、前記最終切削ガイドデータは最終切削ガイドデジタルモデルを規定し、前記初期器具構成データは初期器具構成デジタルモデルを規定し、前記最終器具構成データは最終器具構成デジタルモデルを規定する、請求項６に記載の方法。
（請求項８）
前記１つ以上のプロセッサによって、前記治療を受ける歯から前記歯構造物を除去するためにあらかじめ規定される前記切削工具の運動に対応する切削経路データに基づいて、前記切削工具経路データを決定するステップを更に含む、請求項１に記載の方法。
（請求項９）
前記切削工具は歯科用バーであり、前記最終切削ガイド構造物は歯科用オーバーレイの切削ガイドに対応し、前記固定器具構成は前記歯科用オーバーレイの歯ラップに対応する、請求項１に記載の方法。
（請求項１０）
前記１つ以上のプロセッサによって、前記最終器具構成データをコンピュータ支援製造（ＣＡＭ）又は積層造形（ＡＭ）デバイスとともに使用するように構成されるデータ記憶ファイルにエクスポートするステップを更に含む、請求項１に記載の方法。
（請求項１１）
前記データ記憶ファイルに基づいて、積層造形プロセスを用いて前記歯科用器具類を前記ＡＭデバイス上で作製するステップを更に含む、請求項１０に記載の方法。
（請求項１２）
患者の口腔内の治療を受ける歯に修復物を適用するために使用するための歯科用器具類を調製する方法であって、
１つ以上のプロセッサによって、修復後歯データに基づく器具固定支持体構造物のデジタルモデル輪郭に対応する初期主支持体構成データを記憶するステップと、
前記１つ以上のプロセッサによって、前記器具固定支持体構造物に対応する最終主支持体構成データを記憶するステップと、
前記１つ以上のプロセッサによって、前記修復後歯データに基づく器具舌側支持体構造物のデジタルモデル輪郭に対応する初期舌側支持体構成データを記憶するステップと、
前記１つ以上のプロセッサによって、前記器具舌側支持体構造物に対応する最終舌側支持体構成データを記憶することであって、前記器具舌側支持体構造物は前記器具固定支持体構造物に取り付けられるステップと、
前記１つ以上のプロセッサによって、前記修復後歯データに基づいて器具頬側支持体構造物のデジタルモデル輪郭に対応する初期頬側支持体構成データを記憶するステップと、
前記１つ以上のプロセッサによって、前記器具頬側支持体構造物に対応する最終頬側支持体構成データを記憶するステップであって、前記器具頬側支持体構造物は前記器具固定支持体構造物に取り付けられる、最終頬側支持体構成データを記憶するステップと、
前記１つ以上のプロセッサによって、前記器具舌側支持体構造物及び前記器具頬側支持体構造物の両方に取り付けられる咬合面コネクタに対応する咬合コネクタ構成データを記憶するステップであって、前記最終主支持体構成データ、前記最終舌側支持体構成データ、前記最終頬側支持体構成データ及び該咬合コネクタ構成データは、粗保持スプリント構成に対応する初期保持スプリントデータを規定する、咬合コネクタ構成データを記憶するステップと
を含んでなる方法。
（請求項１３）
前記修復後歯データは、前記治療を受ける歯及び前記治療を受ける歯に適用される修復物を含む、前記患者の口腔内の複数の既存の歯及び修復された歯の３Ｄモデルに対応する、請求項１２に記載の方法。
（請求項１４）
前記１つ以上のプロセッサによって、前記修復後歯データから前記初期保持スプリントデータを切り離し、最終保持スプリント構成に対応する最終保持スプリントデータを形成するステップを更に含む、請求項１２に記載の方法。
（請求項１５）
前記初期主支持体構成データは初期主支持体設計デジタルモデルを規定し、前記最終主支持体構成データは最終主支持体設計デジタルモデルを規定し、前記初期舌側支持体構成データは初期舌側支持体構成デジタルモデルを規定し、前記最終舌側支持体構成データは最終舌側支持体構成デジタルモデルを規定し、前記初期頬側支持体構成データは初期頬側支持体構成デジタルモデルを規定し、前記最終頬側支持体構成データは最終頬側支持体構成デジタルモデルを規定し、前記咬合コネクタ構成データは咬合コネクタ構成デジタルモデルを規定し、前記初期保持スプリントデータは粗保持スプリントデジタルモデルを規定し、前記修復後歯データは修復後歯デジタルモデルを規定し、前記最終保持スプリントデータは最終保持スプリントデジタルモデルを規定する、請求項１４に記載の方法。
（請求項１６）
前記１つ以上のプロセッサによって、前記最終保持スプリントデータをＣＡＭ又はＡＭデバイスとともに使用するように構成されるデータ記憶ファイルにエクスポートするステップを更に含む、請求項１４に記載の方法。
（請求項１７）
前記最終保持スプリント構成はベニヤを配置するためのトレーであり、前記データ記憶ファイルに基づいて、積層造形プロセスを用いてベニヤを配置するための前記トレーを前記ＡＭデバイス上で作製するステップを更に含む、請求項１６に記載の方法。
（請求項１８）
前記１つ以上のプロセッサによって、前記器具固定支持体構造物を前記器具舌側支持体構造物に接続する舌側接続支持体構造物に対応する舌側接続支持体構成データを記憶するステップと、
前記１つ以上のプロセッサによって、前記器具固定支持体構造物を前記器具頬側支持体構造物に接続する頬側接続支持体構造物に対応する頬側接続支持体構成データを記憶するステップと
を更に含む、請求項１４に記載の方法。
（請求項１９）
前記１つ以上のプロセッサによって、前記舌側接続支持体構成データを操作するステップであって、前記舌側接続支持体構成データの該操作は、前記舌側接続支持体構造物のデジタルモデルの平滑化に対応する、前記舌側接続支持体構成データを操作するステップと、
前記１つ以上のプロセッサによって、前記頬側接続支持体構成データを操作するステップであって、前記頬側接続支持体構成データの該操作は、前記頬側接続支持体構造物のデジタルモデルの平滑化に対応する、前記頬側接続支持体構成データを操作するステップと
を更に含む、請求項１８に記載の方法。
（請求項２０）
前記初期保持スプリントデータは、前記舌側接続支持体構成データ及び前記頬側接続支持体構成データによって更に規定される、請求項１９に記載の方法。
（請求項２１）
前記初期主支持体構成データは前記最終主支持体構成データを規定するように操作され、前記初期主支持体構成データの該操作は、前記器具固定支持体構造物の前記デジタルモデル輪郭の前記輪郭をエンボス加工することに対応し、前記初期舌側支持体構成データは前記最終舌側支持体構成データを規定するように操作され、前記初期舌側支持体構成データの該操作は、前記器具舌側支持体構造物の前記デジタルモデル輪郭の前記輪郭をエンボス加工することに対応し、前記初期頬側支持体構成データは前記最終頬側支持体構成データを規定するように操作され、前記初期頬側支持体構成データの該操作は前記器具頬側支持体構造物の前記デジタルモデル輪郭の前記輪郭をエンボス加工することに対応する、請求項１２に記載の方法。
（請求項２２）
患者の口腔内の治療を受ける対象歯を治療する方法であって、
前記患者の１つ以上の歯にガイドデバイスの第１の表面を固定するステップと、
前記ガイドデバイスの開口部に切削デバイスのドライブシャフトを挿入するステップと、
前記ドライブシャフトの縦軸に対して垂直な方向、又は垂直でなくても縦軸を横切る方向において前記切削デバイスのフランジを前記ガイドデバイスのスロットに挿入するステップであって、該スロットは前記ガイドデバイスの前記開口部と連通し、該スロットは、前記ドライブシャフトの前記縦軸に対して垂直な、又は垂直でなくても縦軸を横切る第１の平面内で、該フランジが該スロットに挿入されるときに該フランジが延在する方向に沿って第１の寸法を有し、該第１の寸法は、該第１の平面に対して平行な第２の平面内の、該フランジが該スロットの中に挿入されるときに該フランジが延在する該方向に沿った、該開口部の対応する第２の寸法より大きい、ステップと、
前記切削デバイスを動かし、前記対象歯の作業面を調製する際に前記対象歯の部分を除去するステップであって、前記切削デバイスの運動は前記ガイドデバイスによって、前記第１の平面内の方向と、前記第１の平面に対して垂直な方向に延在する前記スロットの厚さとに制限される、ステップと、
前記スロットから前記切削デバイスの前記フランジを取り出すステップと、
前記患者の前記口腔内から前記ガイドデバイスを取り出すステップと、
接着剤によって、前記作業面に修復物を固定するステップと
を含んでなる方法。
（請求項２３）
前記固定するステップは、前記修復物が前記対象歯の前記作業面に対して保持されるように、前記患者の歯の反対に位置する遠心歯上に前記修復物を保持する保持スプリントを固定することを更に含む、請求項２２に記載の方法。
（請求項２４）
前記修復物は歯科用クラウン、歯科用ブリッジ又は歯科用ベニヤであり、前記切削デバイスは歯科用バーを含む、請求項２３に記載の方法。
（請求項２５）
前記切削デバイスのドライブヘッドは、前記切削デバイスの前記フランジが前記ガイドデバイスの前記スロットの中に完全に挿入されるときに、前記ガイドデバイスの外部にある、請求項２２に記載の方法。
（請求項２６）
ハンドグリップと、
前記ハンドグリップに取り付けられるドライブヘッドと、
前記ドライブヘッドから延在するドライブシャフトと、
前記ドライブシャフトに取り付けられ、前記ドライブシャフトの縦軸に沿って延在する切削工具と、
前記ドライブシャフトに周りに延在し、前記ドライブヘッドから間隔を置いて配置されるフランジであって、該フランジは、前記ドライブシャフトの前記縦軸に対して垂直な軸に沿った長さ寸法及び幅寸法と、前記ドライブシャフトの前記縦軸に対して平行な軸に沿った厚さ寸法とを有し、該フランジの該長さ寸法及び該幅寸法の一方又は両方が該フランジの該厚さ寸法より大きい、フランジと
を備えてなる歯科用器具。
（請求項２７）
歯科用器具の動作を、患者の口腔内の治療を受ける歯の構造物の所定の部分の除去に制限し、本体を備える歯科用オーバーレイデバイスであって、該本体は長さと、幅と、厚さとを有し、
前記治療を受ける歯に対して適切な位置に前記本体を固定するために、前記患者の前記口腔内の１つ以上の歯の部分と相補的であり、該部分と接触するように構成される第１の表面と、
前記第１の表面の反対に位置する第２の表面であって、前記第１の表面と該第２の表面との間の１つ以上の距離が前記本体の前記厚さを規定する、第２の表面と、
前記治療を受ける歯から除去されることになる歯構造物の部分を露出させるために前記第１の表面を貫通して延在する第１の開口部と、
前記第１の開口部の反対に位置し、前記第２の表面を貫通して延在する第２の開口部であって、該第２の開口部は、そこを通して歯科用器具のシャフトを収容するように構成される、第２の開口部と、
前記第２の開口部と連通し、前記シャフトの縦軸に対して垂直であるか、又は垂直でなくても縦軸を横切る方向において前記シャフトから延在するフランジを収容するためのスロットであって、該スロットは、第１の方向に沿って、前記本体の前記長さ及び前記幅に対して平行な第１の平面内で第１の寸法を有し、前記歯科用器具の前記シャフトが前記第２の開口部を通して収容され、前記フランジが前記スロット内に収容されるときに、前記フランジの運動が前記スロットによって制限されるように、該第１の寸法は、該第１の方向に沿った、該第１の平面に対して平行な第２の平面内の、前記第２の開口部の対応する第２の寸法より大きい、スロットと
を備え、
前記第２の開口部は、前記第１の平面に対して平行な平面内で、該平面に沿った方向において、前記歯科用器具の前記シャフトを収容するための前記スロットの端部上で前記厚さを貫通する第１の側方開口部を画定し、
前記スロットは、前記第１の平面内で、前記第１の平面に沿った方向において、前記フランジを収容するための前記スロットの端部上で前記厚さを貫通する第２の側方開口部を画定する、歯科用オーバーレイデバイス。
（請求項２８）
治療を受ける歯の構造物の所定の部分を除去する歯科用システムであって、
請求項２７に記載の歯科用オーバーレイデバイスと、
歯科用器具と
を備えており、該歯科用器具は、
ハンドグリップと、
前記ハンドグリップに取り付けられるドライブヘッドと、
前記ドライブヘッドから延在するドライブシャフトと、
前記ドライブシャフトに取り付けられ、前記ドライブシャフトの縦軸に沿って延在する切削工具と、
前記ドライブシャフトに周りに延在し、前記ドライブヘッドから間隔を置いて配置されるフランジであって、該フランジは、前記ドライブシャフトの前記縦軸に対して垂直な軸に沿った長さ寸法及び幅寸法と、前記ドライブシャフトの前記縦軸に対して平行な軸に沿った厚さ寸法とを有し、該フランジの該長さ寸法及び該幅寸法の一方又は両方が該フランジの該厚さ寸法より大きい、フランジと
を備え、
前記ドライブシャフトは前記第２の開口部の前記第１の側方開口部を貫通して収容可能であり、前記フランジは前記第２の側方開口部を貫通して収容可能であり、
前記歯科用器具の前記フランジが前記スロット内に収容されるとき、前記第１の平面内の方向及び前記第１の平面に対して垂直な方向における前記フランジの運動が前記スロットによって制限される、歯科用システム。
（請求項２９）
患者の口腔内に１つ以上のベニヤを配置するための歯科用オーバーレイシステムであって、
１つ以上のベニヤと、
湾曲した本体を備える歯科用オーバーレイデバイスと、
を備え、該湾曲した本体は、
患者の歯上の適切な位置において該本体を固定するために、前記患者の口腔の両側にある遠心歯を含む、該患者の該口腔内の１つ以上の歯の部分に相補的であり、該部分と接触するように構成される本体表面であって、前記１つ以上のベニヤは該本体表面に一時的に取り付けられる、本体表面と、
前記湾曲した本体を貫通して延在し、複数の歯上の場所に対応する複数の穴と
を備える、歯科用オーバーレイシステム。
（請求項３０）
前記本体表面の第１の部分及び第２の部分が、患者の口腔の両側において臼歯と接触するように構成され、前記本体表面の前記第１の部分及び前記第２の部分は中実であり、その中を貫通する穴を有しない、請求項２９に記載の歯科用オーバーレイシステム。
（請求項３１）
前記湾曲した本体は、各々が前記患者の口腔内の前記歯のうちの１つの歯の一部の輪郭を有し、前記穴がそこを貫通して延在する個々の歯形を画定し、そこを貫通して延在する穴を有する歯形ごとに、最大で２個の穴が、前記湾曲した本体の個々の歯形を貫通して延在する、請求項２９に記載の歯科用オーバーレイシステム。
（請求項３２）
完全な歯列弓に対応する１０個のベニヤの配置とともに使用するために、前記歯科用オーバーレイデバイスは、前記湾曲した本体を貫通する、最少で１６個の穴、最大で２０個の穴を含む、請求項３１に記載の歯科用オーバーレイシステム。
（請求項３３）
前記湾曲した本体は、各々が前記患者の口腔内の前記歯のうちの１つの歯の一部の輪郭を有し、前記穴がそこを貫通して延在する個々の歯形を画定し、そこを貫通して延在する穴を有する歯形ごとに、前記湾曲した本体の個々の歯形を貫通して最少で３個の穴が延在し、前記湾曲した本体の個々の歯形を貫通して最大で６個の穴が延在する、請求項２９に記載の歯科用オーバーレイシステム。
（請求項３４）
完全な歯列弓に対応する１０個のベニヤの配置とともに使用するために、前記歯科用オーバーレイデバイスは、前記湾曲した本体を貫通する、最少で３０個の穴、最大で６０個の穴を含む、請求項３３に記載の歯科用オーバーレイシステム。
（請求項３５）
前記複数の穴のうちの少なくともいくつかは、１．５ｍｍ〜４ｍｍの範囲内の直径を有する、請求項２９に記載の歯科用オーバーレイシステム。